(57)【要約】【課題】コストの嵩まない簡易な手段によって、断熱ボードに断熱性を損なう孔や空隙等を生じさせることなく建築構造物に対して断熱パネルを釘やビスで強固に固定するこができるようにする。【解決手段】断熱パネルＰ４を壁柱や間柱６に固定するための胴縁１５を断熱ボード２の上から釘７で壁柱や間柱６に打ち付ける前に、その胴縁１５の打ち付け箇所に沿って所定のピッチで、該胴縁１５とパネル本体１との間に断熱ボード２の厚み相当分の間隔を確保する楔形の杭１６を断熱ボード２の表面側からその肉厚内に打ち込んでおく。【選択図】図４
2005054511.tif 000002
【特許請求の範囲】
【請求項１】
パネル本体と発泡樹脂で成る断熱ボードとが貼り合わされた断熱パネルにおいて、前記断熱ボードの上から釘もしくはビスで打ち付ける建材と前記パネル本体との間に前記断熱ボードの厚み相当分の間隔を確保する杭が、前記建材の打ち付け箇所に沿って所定のピッチで前記断熱ボードの肉厚面側もしくは表面側からその肉厚内に打ち込まれていることを特徴とする断熱パネル。
【請求項２】
前記杭が、前記断熱ボードの厚みに相当する幅もしくは長さを有した楔形の杭もしくは板状又は棒状の杭である請求項１記載の断熱パネル。
【請求項３】
前記杭が、木材もしくは硬質プラスチックで成る請求項１又は２記載の断熱パネル。
【請求項４】
パネル本体と発泡樹脂で成る断熱ボードとが貼り合わされた断熱パネルの施工方法において、前記断熱ボードの上から建材を釘もしくはビスで打ち付ける前に、該建材と前記パネル本体との間に前記断熱ボードの厚み相当分の間隔を確保する杭を前記建材の打ち付け箇所に沿って所定のピッチで前記断熱ボードの肉厚面側もしくは表面側からその肉厚内に打ち込むことを特徴とする断熱パネルの施工方法。
【請求項５】
前記断熱ボードの上から断熱パネルの開口部に設置する窓サッシの窓枠部材を釘もしくはビスで打ち付ける前に、該窓枠部材と前記パネル本体との間に前記断熱ボードの厚み相当分の間隔を確保する杭を前記窓枠部材の打ち付け箇所となる断熱パネルの開口部に沿って所定のピッチで前記断熱ボードの肉厚面側からその肉厚内に打ち込む請求項４記載の断熱パネルの施工方法。
【請求項６】
前記断熱ボードの上から断熱パネル固定用の胴縁を釘もしくはビスで建築構造物に打ち付ける前に、該胴縁と前記パネル本体との間に前記断熱ボードの厚み相当分の間隔を確保する杭を前記胴縁の打ち付け箇所に沿って所定のピッチで前記断熱ボードの肉厚面側もしくは表面側からその肉厚内に打ち込む請求項４記載の断熱パネルの施工方法。
【発明の詳細な説明】
【技術分野】
【０００１】
本発明は、パネル本体と発泡樹脂で成る断熱ボードとが貼り合わされた断熱パネルとその施工方法に関する。
【背景技術】
【０００２】
建物の壁パネルや屋根パネルとして用いる断熱パネルは、合板等で成るパネル本体と、硬質ポリウレタンフォーム、ポリイソシアヌレートフォーム、ウレタン変性ポリイソシアヌレートフォームあるいはポリスチレンフォーム等の発泡樹脂で成る断熱ボードとが接着剤で貼り合わされたものが一般的であるが、この断熱パネルのパネル本体を断熱ボード側から打ち付ける釘やビスで壁柱や間柱等の建築構造物に対して直接固定しようとすれば、釘やビスを打ち付ける金槌や木槌で殴打される断熱ボードの部分に大きな孔が空いてその部分の断熱性が損なわれるという問題がある。
【０００３】
この問題に鑑み、断熱パネルのパネル本体を壁柱や間柱に打ち付けて固定するための下段ヘッドと、その下段ヘッドによって断熱ボードに空けられた孔を塞ぐ上段ヘッドとを有する二段ヘッド釘を用いて、断熱パネルの断熱効果を損なうことなくこれを壁柱や間柱に対して強固に固定しようとする技術が提案されている（特許文献１参照）。
【０００４】
【特許文献１】特開平８−４９３１７号公報
【０００５】
この二段ヘッド釘は、上段ヘッドを木槌で殴打して、下段ヘッドが断熱ボードを貫通してパネル本体に突き当たる位置まで打ち込まれると、上段ヘッドが断熱ボードの表面に接して下段ヘッドが空けた孔を塞ぐ位置で止まるので、その上段ヘッドを殴打する木槌が脆弱な断熱ボードに打ち当たって該断熱ボードに断熱性を損なう大きな孔を空けるおそれはないように思われるが、下段ヘッドがパネル本体に突き当たった後も誤って上段ヘッドを木槌で強く殴打すると、二段ヘッド釘が上段ヘッドと下段ヘッドとの間で曲がって、下段ヘッドが空けた孔を上段ヘッドで塞ぐことができなくなると同時に木槌が断熱ボードに打ち当たって大きな孔が空くおそれがある。また、二段ヘッド釘の打ち付け角度が傾くと、下段ヘッドが空けた孔を上段ヘッドで確実に塞ぐことができなくなるという欠点もある
【０００６】
更に、下段ヘッドが断熱ボードに空けた孔を上段ヘッドで塞いでも、その上段ヘッドと下段ヘッドとの間に生じた孔の空隙内に存在する空気が、熱伝導性の良い鉄製の二段ヘッド釘から伝わる外気温と平衡温度になるため、断熱ボードの断熱性が著しく損なわれる。更に、上下二段のヘッドを有する特異な構造の二段ヘッド釘は、これを量産するために特殊な釘製造装置を開発しなければならないので、その製造コストが著しく嵩むという問題がある。
【発明の開示】
【発明が解決しようとする課題】
【０００７】
本発明が解決しようとする技術的課題は、コストの嵩まない簡易な手段によって、断熱ボードに断熱性を損なう孔や空隙等を生じさせることなく、断熱パネルを釘やビスで建築構造物に対して強固に固定するこができるようにし、また、断熱パネルの開口部に設置する窓サッシの窓枠部材等も断熱ボードの上から釘やビスで打ち付けて簡単に固定することができるようにすることである。
【課題を解決するための手段】
【０００８】
請求項１に係る発明は、パネル本体と発泡樹脂で成る断熱ボードとが貼り合わされた断熱パネルにおいて、前記断熱ボードの上から釘もしくはビスで打ち付ける建材と前記パネル本体との間に前記断熱ボードの厚み相当分の間隔を確保する杭が、前記建材の打ち付け箇所に沿って所定のピッチで前記断熱ボードの肉厚面側もしくは表面側からその肉厚内に打ち込まれていることを特徴とする。
【０００９】
請求項４に係る発明は、パネル本体と発泡樹脂で成る断熱ボードとが貼り合わされた断熱パネルの施工方法において、前記断熱ボードの上から建材を釘もしくはビスで打ち付ける前に、該建材と前記パネル本体との間に前記断熱ボードの厚み相当分の間隔を確保する杭を前記建材の打ち付け箇所に沿って所定のピッチで前記断熱ボードの肉厚面側もしくは表面側からその肉厚内に打ち込むことを特徴とする。
【発明の効果】
【００１０】
請求項１の発明に係る断熱パネルは、例えばその断熱パネルを建築構造物に固定するために断熱ボードの上から釘で打ち付ける建材が、断熱ボードの肉厚内に打ち込まれた杭によって、断熱ボードに埋まり込むことなく、パネル本体との間に断熱ボードの厚さ相当分の間隔を保つように支持されるので、その建材を打ち付ける釘によって建築構造物に対して強固に固定することができる。
【００１１】
また、発泡樹脂で成る脆弱な断熱ボードの肉厚内に打ち込む杭は、鉄などの金属で作る必要はなく、材料費も嵩まず容易に量産することができる硬質プラスチック製の杭や、木材を楔形に切断しただけの木製の杭で十分であるから、その製造コストが嵩むこともない。更に、鉄製の釘に比べて、硬質プラスチック製の杭や木製の杭は、熱伝導率が著しく小さいうえ、これを断熱ボードの肉厚内に打ち込んでもその肉厚内に空隙を生ずることがないので、断熱性を損なう度合いが著しく小さい。
【００１２】
請求項４の発明に係る断熱パネルの施工方法は、その断熱パネルの施工現場において、断熱ボードの上から例えば断熱パネルを壁柱や間柱に固定する胴縁を釘で打ち付ける前に、その胴縁を打ち付ける箇所に沿って断熱ボードの肉厚内に杭を打ち込むことにより、断熱パネルを壁柱や間柱に対して強固に固定することができる。
【発明を実施するための最良の形態】
【００１３】
請求項１に係る発明の最良の実施形態は、断熱パネルが、合板や石膏ボード等で成るパネル本体と、硬質ポリウレタンフォームやフェノール発泡樹脂で成る断熱ボードとを接着剤で貼り合わせた構成とされ、その断熱ボードの上から釘もしくはビスで打ち付ける建材とパネル本体との間に断熱ボードの厚み相当分の間隔を確保する杭が、木材又は硬質プラスチックによって、断熱ボードの厚みに相当する幅もしくは長さを有した楔形の杭もしくは先鋭な板状又は棒状の杭に形成されているものである。
【００１４】
請求項４に係る発明の最良の実施形態は、例えば、断熱ボードの上から断熱パネルの開口部に設置する窓サッシの窓枠部材を釘もしくはビスで打ち付ける前に、該窓枠部材とパネル本体との間に断熱ボードの厚み相当分の間隔を確保する杭を窓枠部材の打ち付け箇所となる断熱パネルの開口部に沿って所定のピッチで断熱ボードの肉厚面側からその肉厚内に打ち込んだり、あるいは断熱ボードの上から断熱パネル固定用の胴縁を釘もしくはビスで壁柱や間柱等の建築構造物に打ち付ける前に、該胴縁とパネル本体との間に断熱ボードの厚み相当分の間隔を確保する杭を胴縁の打ち付け箇所に沿って所定のピッチで断熱ボードの肉厚面側もしくは表面側からその肉厚内に打ち込むようにする。
【実施例１】
【００１５】
図１及び図２は本発明に係る断熱パネルとその施工方法の一例を示す一部切欠の斜視図であって、本例の断熱パネルＰ１は、図１の如く、合板で成るパネル本体１と、硬質ポリウレタンフォームあるいはフェノール発泡樹脂等で成る断熱ボード２とが、接着剤によって互いに貼り合わされると共に、断熱ボード２の表面がその表面に貼り付けた防水性シート３によって被覆された構成となっており、その断熱パネルＰ１には、後加工によって窓サッシを設置するための開口部４が形成されている。開口部４はその一部のみしか図示していないが、その開口部４に図２の如く設置する窓サッシの窓枠部材５を断熱ボード２の上から壁柱や間柱６に対して釘（もしくはビス）７で打ち付ける前に、図１の如く窓枠部材５とパネル本体１との間に断熱ボード２の厚み相当分の間隔を確保する杭８を窓枠部材５の打ち付け箇所となる断熱パネルＰ１の開口部４に沿って所定のピッチで断熱ボード２の肉厚面側からその肉厚内に打ち込んでおく。なお、杭８は、木材や、剛性が高くて成形加工性と寸法安定性が良く難燃性にも優れたポリフェニレンサルファイド（ＰＰＳ）等の硬質プラスチックによって、断熱ボード２の厚みと略等しい板幅を有する先鋭な板状の杭に成形されている。
【００１６】
これにより、断熱ボード２の上から間柱４等の建築構造物に対して釘７で打ち付ける窓サッシの窓枠部材５は、これと断熱パネルＰ１のパネル本体１との間に介在する杭８、８…によって、脆弱で変形しやすい断熱ボード２に埋まり込まないようにパネル本体１に確りと支持されることなるので、建築構造物に対して釘７で強固に固定することができる。
【００１７】
また、断熱ボード２の肉厚内に打ち込む板状の杭８は、その肉厚内に空隙を生ずることがなく、しかも、鉄製の釘に比べて熱伝導率が著しく小さい木製あるいは硬質プラスチック製のものであるから、断熱ボード２の断熱性を損なう度合いが著しく小さいし、材料費も嵩まず容易に量産することができるので、その製造コストが嵩むこともない。なお、断熱ボード２の表面に防水性シート３が貼り付けられていると、その防水性シート３とパネル本体１との間に挟まれた断熱ボード２の肉厚面側からその肉厚内に杭８を打ち込みやすいという利点がある。
【実施例２】
【００１８】
図３は本発明に係る断熱パネルとその施工方法の他の例を示す平面図であって、柱１０の入隅で出会う二つの断熱パネルＰ２、Ｐ３の端部を各々受け木１１、１２に固定するための胴縁１３、１４を断熱ボード２の上から釘７で打ち付ける前に、その胴縁１３、１４の打ち付け箇所となる断熱パネルＰ２、Ｐ３の端部に沿って各々の断熱ボード２の肉厚面側からその肉厚内に図１の如き杭８を所定のピッチで打ち込んでおく。
【００１９】
これにより、断熱パネルＰ２、Ｐ３の断熱ボード２の上から受け木１１、１２に釘７で打ち付けた胴縁１３、１４によって各断熱パネルＰ２、Ｐ３の端部を受け木１１、１２に対して確りと固定することができる。なお、二つの断熱パネルＰ２、Ｐ３が柱１０の出隅で出会う場合は、胴縁１３、１４を釘７で柱１０に打ち付けて該柱１０に各断熱パネルＰ２、Ｐ３の端部を確りと固定することができる。
【実施例３】
【００２０】
図４は本発明に係る断熱パネルとその施工方法の他の例を示す斜視図であって、断熱パネルＰ４を壁柱や間柱６に固定するための胴縁１５を断熱ボード２の上から釘７で壁柱や間柱６に打ち付ける前に、その胴縁１５の打ち付け箇所に沿って所定のピッチで、該胴縁１５とパネル本体１との間に断熱ボード２の厚み相当分の間隔を確保する楔形の杭１６を防水性シート３で被覆された断熱ボード２の表面側からその肉厚内に打ち込んでおく。なお、杭１６は、木材もしくは硬質プラスチックによって断熱ボード２の肉厚と略等しい長さを有する楔形に成形されている。
【００２１】
これにより、断熱パネルＰ４は、杭１６、１６…が打ち込まれた箇所に沿って断熱ボード２の上に胴縁１５を押し当て、その胴縁１５の上から杭１６、１６…に当たらないように所定間隔で打ち込む釘７、７…によって胴縁１５を壁柱や間柱６に打ち付けることにより、その断熱パネルＰ４を壁柱や間柱６に対して確りと固定することができる。なお、断熱パネルＰ４の左右端部を胴縁１５によって壁柱や間柱に固定する場合は、図１の如き杭８を断熱パネルＰ４の端部に沿って所定のピッチで断熱ボード２の肉厚面側からその肉厚内に打ち込めばよい。また、断熱ボード２の表面側からその肉厚内に打ち込む杭１６は、楔形の杭に限らず、先鋭な板状の杭あるいは先鋭な丸棒や角棒で成る棒状の杭であってもよい。
【００２２】
。
【図面の簡単な説明】
【００２３】
【図１】本発明に係る断熱パネルとその施工方法の第１実施例を示す斜視図
【図２】本発明に係る断熱パネルとその施工方法の第１実施例を示す斜視図
【図３】本発明に係る断熱パネルとその施工方法の第２実施例を示す平面図
【図４】本発明に係る断熱パネルとその施工方法の第３実施例を示す斜視図
【符号の説明】
【００２４】
Ｐ１〜Ｐ４  断熱パネル
１        パネル本体
２        断熱ボード
３        防水性シート
４        開口部
５        窓サッシの窓枠部材
６        壁柱もしくは間柱
７        釘もしくはビス
８        杭
１０        柱
１１        受け木
１２        受け木
１３        胴縁
１４        胴縁
１５        胴縁
１６        杭
【図１】
2005054511.tif 000003
【図２】
2005054511.tif 000004
【図３】
2005054511.tif 000005
【図４】
2005054511.tif 000006